【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
IP(Internet Protocol)伝送方式を用いたデジタル放送の放送波を受信する受信部と、
前記放送波によって、前記IP伝送方式のプロトコルの階層における第１の階層で伝送される第１の制御信号に応じて取得される第１の鍵を用い、前記第１の階層よりも上位の階層となる第２の階層で伝送される第２の制御信号に応じて取得される第２の鍵を復号する第１の復号部と、
復号された前記第２の鍵を用い、前記放送波から得られるストリームに含まれる特定のサービスを構成する暗号化されたコンポーネントを復号する第２の復号部と
を備える受信装置。
【請求項２】
前記第１の制御信号は、前記第１の鍵を少なくとも含む第１の記述子を取得するためのロケーション情報が記述された第１のシグナリング情報を伝送し、
前記第２の制御信号は、前記第２の鍵を少なくとも含む第２の記述子を取得するためのロケーション情報が記述された第２のシグナリング情報を伝送し、
前記第１のシグナリング情報に記述されたロケーション情報に従い、前記第１の記述子が取得され、
前記第２のシグナリング情報に記述されたロケーション情報に従い、前記第２の記述子が取得される
請求項１に記載の受信装置。
【請求項３】
前記第１の記述子は、前記第１の制御信号、通信網、又は、NRT(Non-RealTime)放送を利用して伝送され、
前記第２の記述子は、前記第２の制御信号、通信網、NRT放送、又は、前記コンポーネントを利用して伝送される
請求項２に記載の受信装置。
【請求項４】
前記暗号化の方式は、CAS(Conditional Access System)方式に準じており、
前記第１の記述子は、EMM(Entitlement Management Message)であり、
前記第２の記述子は、ECM(Entitlement Control Message)であり、
前記第１の鍵は、第３の鍵で暗号化されている
請求項２又は３に記載の受信装置。
【請求項５】
前記EMMと前記ECMには、前記コンポーネントごとの視聴可否を確認可能な契約情報がさらに含まれる
請求項４に記載の受信装置。
【請求項６】
前記EMMと前記ECMには、特定のグループを識別するためのグループIDがさらに含まれる
請求項４又は５に記載の受信装置。
【請求項７】
複数のEMM又は複数のECMの中から、前記グループIDにより識別される特定のグループのEMM又はECMが用いられる
請求項６に記載の受信装置。
【請求項８】
第１のサービスと、前記第１のサービスに関連した第２のサービスが提供されており、
前記第１のサービスを構成する暗号化されたコンポーネントは、前記第１のサービスのECMから取得される前記第２の鍵を用いて復号され、
前記第２のサービスを構成する暗号化されたコンポーネントは、前記第１のサービスのECM又は前記第２のサービスのECMから取得される前記第２の鍵を用いて復号される
請求項４に記載の受信装置。
【請求項９】
前記IP伝送方式のプロトコルの階層のうち、前記第２の階層は、IP層よりも上位の階層となり、
各サービスを構成する暗号化されたコンポーネントと、前記第２の制御信号には、共通のIPアドレスが割り当てられる
請求項１乃至８のいずれかに記載の受信装置。
【請求項１０】
受信装置の受信方法において、
前記受信装置が、
IP伝送方式を用いたデジタル放送の放送波を受信し、
前記放送波によって、前記IP伝送方式のプロトコルの階層における第１の階層で伝送される第１の制御信号に応じて取得される第１の鍵を用い、前記第１の階層よりも上位の階層となる第２の階層で伝送される第２の制御信号に応じて取得される第２の鍵を復号し、
復号された前記第２の鍵を用い、前記放送波から得られるストリームに含まれる特定のサービスを構成する暗号化されたコンポーネントを復号する
ステップを含む受信方法。
【請求項１１】
各種のサービスを構成する１又は複数のコンポーネントを取得する第１の取得部と、
第１の鍵を取得するための第１の制御信号と、第２の鍵を取得するための第２の制御信号を取得する第２の取得部と、
前記第１の鍵により暗号化される前記第２の鍵を用い、前記コンポーネントを暗号化する暗号化部と、
特定のサービスを構成する暗号化されたコンポーネントと、前記第１の制御信号及び前記第２の制御信号とからなるストリームを含むIP伝送方式を用いた放送波であって、前記IP伝送方式のプロトコルの階層における第１の階層で前記第１の制御信号が伝送され、前記第１の階層よりも上位の階層となる第２の階層で前記第２の制御信号が伝送される放送波を送信する送信部と
を備える送信装置。
【請求項１２】
前記第１の制御信号は、前記第１の鍵を少なくとも含む第１の記述子を取得するためのロケーション情報が記述された第１のシグナリング情報を伝送し、
前記第２の制御信号は、前記第２の鍵を少なくとも含む第２の記述子を取得するためのロケーション情報が記述された第２のシグナリング情報を伝送する
請求項１１に記載の送信装置。
【請求項１３】
前記第１の記述子は、前記第１の制御信号、通信網、又は、NRT放送を利用して伝送され、
前記第２の記述子は、前記第２の制御信号、通信網、NRT放送、又は、前記コンポーネントを利用して伝送される
請求項１２に記載の送信装置。
【請求項１４】
前記暗号化の方式は、CAS方式に準じており、
前記第１の記述子は、EMMであり、
前記第２の記述子は、ECMであり、
前記第１の鍵は、第３の鍵で暗号化されている
請求項１２又は１３に記載の送信装置。
【請求項１５】
前記EMMと前記ECMには、前記コンポーネントごとの視聴可否を確認可能な契約情報がさらに含まれる
請求項１４に記載の送信装置。
【請求項１６】
前記EMMと前記ECMには、特定のグループを識別するためのグループIDがさらに含まれる
請求項１４又は１５に記載の送信装置。
【請求項１７】
複数のEMM又は複数のECMの中から、前記グループIDにより識別される特定のグループのEMM又はECMが用いられる
請求項１６に記載の送信装置。
【請求項１８】
第１のサービスと、前記第１のサービスに関連した第２のサービスが提供されており、
前記第１のサービスを構成する暗号化されたコンポーネントは、前記第１のサービスのECMから取得される前記第２の鍵を用いて復号され、
前記第２のサービスを構成する暗号化されたコンポーネントは、前記第１のサービスのECM又は前記第２のサービスのECMから取得される前記第２の鍵を用いて復号される
請求項１４に記載の送信装置。
【請求項１９】
前記IP伝送方式のプロトコルの階層のうち、前記第２の階層は、IP層よりも上位の階層となり、
各サービスを構成する暗号化されたコンポーネントと、前記第２の制御信号には、共通のIPアドレスが割り当てられる
請求項１１乃至１８のいずれかに記載の送信装置。
【請求項２０】
送信装置の送信方法において、
前記送信装置が、
各種のサービスを構成する１又は複数のコンポーネントを取得し、
第１の鍵を取得するための第１の制御信号と、第２の鍵を取得するための第２の制御信号を取得し、
前記第１の鍵により暗号化される前記第２の鍵を用い、前記コンポーネントを暗号化し、
特定のサービスを構成する暗号化されたコンポーネントと、前記第１の制御信号及び前記第２の制御信号とからなるストリームを含むIP伝送方式を用いた放送波であって、前記IP伝送方式のプロトコルの階層における第１の階層で前記第１の制御信号が伝送され、前記第１の階層よりも上位の階層となる第２の階層で前記第２の制御信号が伝送される放送波を送信する
ステップを含む送信方法。
【手続補正２】
【補正対象書類名】明細書
【補正対象項目名】００３８
【補正方法】変更
【補正の内容】
【００３８】
IP層は、TCP/IPのプロトコルスタックにおけるIP(Internet Protocol)に相当するものであり、IPアドレスによりIPパケットが特定される。IP層に隣接する上位階層はUDP層とされ、さらにその上位の階層は、RTP，FLUTE/ALC(Asynchronous Layered Coding)とされる。すなわち、IP伝送方式のデジタル放送においては、UDP(User Datagram Protocol)のポート番号が指定されたパケットが送信され、例えばRTP(Real-time Transport Protocol)セッションやFLUTE(File Delivery over Unidirectional Transport)セッションが確立されるようになされている。なお、FLUTEの詳細は、RFC3926として規定されている。
【手続補正３】
【補正対象書類名】明細書
【補正対象項目名】００３９
【補正方法】変更
【補正の内容】
【００３９】
FLUTE/ALCに隣接する上位階層は、fMP4(Fragmented MP4)とされ、さらに、RTP，fMP4に隣接する上位階層は、ビデオデータ(Video)、オーディオデータ(Audio)、字幕データ(Closed Caption)等とされる。すなわち、ビデオデータやオーディオデータを、ストリーム形式で伝送する場合には、RTPセッションが利用され、ビデオデータやオーディオデータを、ファイル形式で伝送する場合には、FLUTEセッションが利用される。
【手続補正４】
【補正対象書類名】明細書
【補正対象項目名】００４０
【補正方法】変更
【補正の内容】
【００４０】
また、FLUTE/ALCの上位階層は、NRTコンテンツ(NRT Content)，ESG，SCSとされ、NRTコンテンツ，ESG，SCSは、FLUTEセッションにより伝送される。NRTコンテンツは、NRT(Non-RealTime)放送で伝送されるコンテンツであって、受信機のストレージに一旦蓄積された後で再生が行われる。なお、NRTコンテンツは、コンテンツの一例であって、他のコンテンツのファイルがFLUTEセッションにより伝送されるようにしてもよい。ESG(Electronic Service Guide)は、電子サービスガイドである。
【手続補正５】
【補正対象書類名】明細書
【補正対象項目名】００８７
【補正方法】変更
【補正の内容】
【００８７】
（２）LLS，SCSのデータ構造
（SCTのシンタックス）
図１１は、SCT(Service Configuration Table)のシンタックスを示す図である。SCTは、例えば、XML等のマークアップ言語により記述される。なお、図１１等のシンタックスにおいて、要素と属性のうち、属性には「@」が付されている。また、インデントされた要素と属性は、その上位の要素に対して指定されたものとなる。
【手続補正６】
【補正対象書類名】明細書
【補正対象項目名】００９９
【補正方法】変更
【補正の内容】
【００９９】
shortName属性とlongName属性には、サービスIDにより識別されるサービスの名称が指定される。ただし、shortName属性では、７文字以内でサービスの名称を指定しなければならない。accessControl属性には、サービスIDにより識別されるサービスが暗号化されているかどうかが指定される。accessControl属性として"on"が指定された場合には、当該サービスが暗号化されていることを示し、"off"が指定された場合には、当該サービスが暗号化されていないことを示している。
【手続補正７】
【補正対象書類名】明細書
【補正対象項目名】０２５８
【補正方法】変更
【補正の内容】
【０２５８】
すなわち、メインサービスの暗号化されたコンポーネントと、アジャンクトサービスの暗号化されたコンポーネントは、メインサービスのECMから取得された同一のスクランブル鍵(Ks)を用いて復号されることになる。なお、メインサービスのECMから取得されるスクランブル鍵(Ks)は、ワーク鍵(Kw)で暗号化されているので、保存していたEMMのワーク鍵(Kw)を用いて復号されてから、使用されることになる。
【手続補正８】
【補正対象書類名】明細書
【補正対象項目名】０２６３
【補正方法】変更
【補正の内容】
【０２６３】
したがって、メインサービスの暗号化されたコンポーネントは、メインサービスのECMから取得されたスクランブル鍵(Ks)を用いて復号される。一方、アジャンクトサービスの暗号化されたコンポーネントは、アジャンクトサービスのECMから取得されたスクランブル鍵(Ks)を用いて復号される。すなわち、メインサービスの暗号化されたコンポーネントと、アジャンクトサービスの暗号化されたコンポーネントは、異なるスクランブル鍵(Ks)を用いて復号されることになる。なお、メインサービスとアジャンクトサービスのECMから取得されるスクランブル鍵(Ks)は、ワーク鍵(Kw)で暗号化されているので、保存していたEMMのワーク鍵(Kw)を用いて復号されてから、使用されることになる。
【手続補正９】
【補正対象書類名】図面
【補正対象項目名】図１
【補正方法】変更
【補正の内容】
【図１】
2015154238.tif 000001